【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
レンズ鏡筒ユニットと、
前記レンズ鏡筒ユニットの周囲を囲むように配置されるリング形状の第１のリング操作部材と、
前記第１のリング操作部材を、前記レンズ鏡筒ユニットの光軸に直交する第１の方向および第２の方向へ直線移動可能に保持するベース部材と、
前記第１のリング操作部材の前記第１の方向または前記第２の方向への直線移動を検出する第１の検出手段と、
前記第１のリング操作部材は、前記第１の方向または前記第２の方向への直線移動を手動で操作可能に配置され、
前記第１の方向と前記第２の方向は、互いに反対の方向であることを特徴とする撮像装置。
【請求項２】
前記第１の検出手段は、前記第１のリング操作部材を前記第１の方向へ直線移動させたときにオンする第１のスイッチと、前記第１のリング操作部材を前記第２の方向へ直線移動させたときにオンする第２のスイッチを備え、
前記第１のスイッチおよび前記第２のスイッチは、互いに向かい合うように配置されることを特徴とする請求項１に記載の撮像装置。
【請求項３】
前記第１の検出手段が前記第１のリング操作部材の直線移動を検出すると、画像を取得するためにレリーズ動作が実行されることを特徴とする請求項１または２に記載の撮像装置。
【請求項４】
前記レンズ鏡筒ユニットの周囲を囲むように配置されるとともに、前記ベース部材により前記レンズ鏡筒ユニットの前記光軸を中心として回動可能に保持されるリング形状の第２のリング操作部材と、
前記第２のリング操作部材の前記光軸を中心とする回転を検出する第２の検出手段と、を更に有し、
前記第２のリング操作部材は、前記光軸を中心とする回転を手動で操作可能に配置されることを特徴とする請求項１から３のいずれか１項に記載の撮像装置。
【請求項５】
前記第２の検出手段が前記第２のリング操作部材の回転を検出すると、ズーム動作が実行されることを特徴とする請求項４に記載の撮像装置。
【請求項６】
レンズ鏡筒ユニットと、
前記レンズ鏡筒ユニットの周囲を囲むように配置されるリング形状の第１のリング操作部材と、
前記レンズ鏡筒ユニットの周囲を囲むように配置されるリング形状の第２のリング操作部材と、
前記第１のリング操作部材を、前記レンズ鏡筒ユニットの光軸に直交する方向へ直線移動可能に保持するとともに、前記第２のリング操作部材を、前記レンズ鏡筒ユニットの前記光軸を中心として回動可能に保持するベース部材と、
前記第１のリング操作部材の直線移動を検出する第１の検出手段と、
前記第２のリング操作部材の前記光軸を中心とする回転を検出する第２の検出手段と、を有し、
前記第１のリング操作部材は、前記光軸に直交する方向への直線移動を手動で操作可能に配置され、
前記第２のリング操作部材は、前記光軸を中心とする回転を手動で操作可能に配置されることを特徴とする撮像装置。
【請求項７】
前記第１のリング操作部材が直線移動するように操作されると、画像を取得するためにレリーズ動作が実行され、
前記第２のリング操作部材が回転するように操作されると、ズーム動作が実行されることを特徴とする請求項６に記載の撮像装置。
【請求項８】
前記第１のリング操作部材は、前記レンズ鏡筒ユニットの光軸方向において、前記第２のリング操作部材より前方に配置されることを特徴とする請求項４から７のいずれか１項に記載の撮像装置。
【請求項９】
前記第１のリング操作部材の外径は、前記第２のリング操作部材の外径より小さいことを特徴とする請求項４から７のいずれか１項に記載の撮像装置。
【請求項１０】
前記第１のリング操作部材の移動範囲は、前記光軸に直交する方向において、前記第２のリング操作部材の外径から突出しない範囲であることを特徴とする請求項９に記載の撮像装置。
【請求項１１】
前記第１の検出手段と前記第２の検出手段は、前記レンズ鏡筒ユニットの光軸方向にて互いに重ならない位置に配置されることを特徴とする請求項４から１０のいずれか１項に記載の撮像装置。
【請求項１２】
前記第１のリング操作部材を中立位置に復帰させる第１の付勢手段と、
前記第２のリング操作部材を中立位置に復帰させる第２の付勢手段と、を更に有し、
前記第１の付勢手段と前記第２の付勢手段は、前記レンズ鏡筒ユニットの光軸方向において互いに重ならない位置に配置されることを特徴とする請求項４から１１のいずれか１項に記載の撮像装置。
【請求項１３】
前記第１の検出手段と前記第１の付勢手段は、前記レンズ鏡筒ユニットの前記光軸方向にて互いに重ならない位置に配置され、
前記第２の検出手段と前記第２の付勢手段は、前記レンズ鏡筒ユニットの前記光軸方向にて互いに重ならない位置に配置されることを特徴とする請求項１２に記載の撮像装置。
【請求項１４】
前記レンズ鏡筒ユニットは、前記光軸の中心が前記撮像装置の正面における左右方向の中心かつ上下方向の中心に重なるように配置されることを特徴とする請求項１から１３のいずれか１項に記載の撮像装置。
【請求項１５】
装置本体と、
前記装置本体に対して回動する表示ユニットと、を更に有することを特徴とする請求項１から１４のいずれか１項に記載の撮像装置。
【手続補正２】
【補正対象書類名】明細書
【補正対象項目名】０００６
【補正方法】変更
【補正の内容】
【０００６】
本発明の一側面としての撮像装置は、レンズ鏡筒ユニットと、前記レンズ鏡筒ユニットの周囲を囲むように配置されるリング形状の第１のリング操作部材と、前記第１のリング操作部材を、前記レンズ鏡筒ユニットの光軸に直交する第１の方向および第２の方向へ直線移動可能に保持するベース部材と、前記第１のリング操作部材の前記第１の方向または前記第２の方向への直線移動を検出する第１の検出手段と、前記第１のリング操作部材は、前記第１の方向または前記第２の方向へ直線状に操作可能に配置され、前記第１の方向と前記第２の方向は、互いに反対の方向であることを特徴とする。
また、本発明の他の側面としての撮像装置は、レンズ鏡筒ユニットと、前記レンズ鏡筒ユニットの周囲を囲むように配置されるリング形状の第１のリング操作部材と、前記レンズ鏡筒ユニットの周囲を囲むように配置されるリング形状の第２のリング操作部材と、前記第１のリング操作部材を、前記レンズ鏡筒ユニットの光軸に直交する方向へ直線移動可能に保持するとともに、前記第２のリング操作部材を、前記レンズ鏡筒ユニットの前記光軸を中心として回動可能に保持するベース部材と、前記第１のリング操作部材の直線移動を検出する第１の検出手段と、前記第２のリング操作部材の前記光軸を中心とする回転を検出する第２の検出手段と、を有し、前記第１のリング操作部材は、前記光軸に直交する方向への直線移動を手動で操作可能に配置され、前記第２のリング操作部材は、前記光軸を中心とする回転を手動で操作可能に配置されることを特徴とする。
【手続補正３】
【補正対象書類名】明細書
【補正対象項目名】００１２
【補正方法】変更
【補正の内容】
【００１２】
図１（ａ）−（ｃ）は、電源オン状態でレンズユニット（レンズ鏡筒ユニット）３が繰り出された状態であり、電源をオフにするとレンズユニット３はカメラ本体（装置本体）１から突出しない位置まで沈胴収納される。
【手続補正４】
【補正対象書類名】明細書
【補正対象項目名】００１９
【補正方法】変更
【補正の内容】
【００１９】
ズームリング（第２のリング操作部材）１４は、リング形状をしており、レンズユニット３の周囲に配置される。ズームリング１４は、カメラ本体１に対し、レンズユニット３の光軸中心にＰ方向およびＱ方向（図１（ａ）に図示）に所定角度範囲で回動可能に構成されている。
【手続補正５】
【補正対象書類名】明細書
【補正対象項目名】００２０
【補正方法】変更
【補正の内容】
【００２０】
ズームリング１４をＰ方向に回動させると、レンズユニット３はＴＥＬＥ側へ、Ｑ方向へ回転させると、ＷＩＤＥ側へズームするよう構成されている。撮影者がズームリング１４を手動で回動操作し、その後、撮影者がズームリング１４から指を離すと不図示のバネにより、ズームリング１４は中立位置に復帰するように構成されている。
【手続補正６】
【補正対象書類名】明細書
【補正対象項目名】００２２
【補正方法】変更
【補正の内容】
【００２２】
レリーズリング（第１のリング操作部材）１５は、リング形状をしており、レンズユニット３の周囲に配置される。レリーズリング１５の外径は、ズームリング１４の外径よりも小さく形成され、レリーズリング１５は、ズームリング１４よりもカメラ前方に突出して配置されている。レリーズリング１５は、カメラ本体１に対し、レンズユニット３の光軸と直交するＲ方向およびＷ方向（図１（ａ）に図示）に、所定範囲でスライド可能（直線移動可能）に構成されている。
【手続補正７】
【補正対象書類名】明細書
【補正対象項目名】００２３
【補正方法】変更
【補正の内容】
【００２３】
レリーズリング１５を押し下げ操作、すなわちＲ方向（図１（ａ）に図示）に操作することで、カメラのレリーズ動作をさせ、静止画撮影による画像を取得ことができる。同様に、レリーズリング１５を押し上げ操作、すなわちＷ方向（図１（ａ）に図示）に操作することでも、カメラのレリーズ動作をさせ、静止画撮影による画像を取得をすることができる。
【手続補正８】
【補正対象書類名】明細書
【補正対象項目名】００５５
【補正方法】変更
【補正の内容】
【００５５】
レリーズスイッチ２１ｃおよび２１ｄは、ＳＷ１（１段目のスイッチ）およびＳＷ２（２段目のスイッチ）をそれぞれ検出する２段スイッチで構成される。レリーズスイッチ２１ｃおよび２１ｄから出力されるＳＷ１およびＳＷ２の出力信号は、フロントフレキシブル配線板２１内で合流し、信号線の本数が少なくなった状態で接点接続部２１ａまで引き出される。すなわち、メインＣＰＵにはレリーズスイッチ２１ｃが操作されたのか、レリーズスイッチ２１ｄが操作されたのかは判別できないが、本実施形態では、レリーズスイッチ２１ｃおよび２１ｄを同時にオンすることはできないので、特に問題はない。スイッチからの出力信号線を途中で合流させ、信号本数を削減することで、ＣＰＵのポートを節約できるため、ＣＰＵのコスト低減となり、更にはカメラの製造コストを安価にすることができる。
【手続補正９】
【補正対象書類名】明細書
【補正対象項目名】００６０
【補正方法】変更
【補正の内容】
【００６０】
バネユニット３０は、金属シャフト３１、コイルバネ（第１の付勢手段）３２、樹脂からなりコイルバネ３２を規制するリテーナー３３を有する。リテーナー３３は、コイルバネ３２の上下に各１つずつ使用する。なお、コイルバネ３２は、レリーズリング１５を、中立位置に復帰させるための付勢手段である。
【手続補正１０】
【補正対象書類名】明細書
【補正対象項目名】００７４
【補正方法】変更
【補正の内容】
【００７４】
ズームリング１４は、レリーズベース２２のレール面２２ｌとフロントインナー２０のレール面２０ｈの間に挟まれている。ズームリング１４の摺動面１４ｆがレリーズベース２２のレール面２２ｌと摺動し、当接面１４ｇがフロントインナー２０のレール面２０ｈと摺動することで、ズームリング１４は回動する。
【手続補正１１】
【補正対象書類名】明細書
【補正対象項目名】００７５
【補正方法】変更
【補正の内容】
【００７５】
レリーズベース２２のレール面２２ｌとズームリング１４の摺動面１４ｆの間には隙間が形成されている。隙間を設けておかないと、図８の矢印の方向から外力が与えられたときに、ズームリング１４の走行スペースが減少し、ズームリング１４がスムーズに動作しなくなってしまう問題が発生してしまう。このため、外力により押え付けられたときの各部品の変形等によるスペース減少量を加味し、若干の隙間を設けている。
【手続補正１２】
【補正対象書類名】明細書
【補正対象項目名】００７９
【補正方法】変更
【補正の内容】
【００７９】
図９（ｂ）の状態は、トーションバネ２８の腕部がフロントインナー２０のバネ掛け軸２０ｋおよびズームリング１４のバネ掛け軸１４ｅに掛けられており、ズームリング１４は中立位置に復帰されている。ズームリング１４は、ズームリング１４の中心軸を中心にＰ方向（ＴＥＬＥ）およびＱ方向（ＷＩＤＥ）に回動が可能である。ズームリング１４を回動させると、ズームリング１４のバネ掛け軸１４ｅが移動し、トーションバネ２８の片腕を移動させる。これによって、トーションバネ２８がチャージされ、中立位置に復帰しようとする付勢力が発生する。ズームリング１４を操作していない状態では、常に中立位置に復帰するよう構成されている。中立位置では、ズームスイッチ２１ｂは、ズームレバーにより蹴飛ばされておらず、ズームスイッチ２１ｂの出力信号はオフである。
【手続補正１３】
【補正対象書類名】明細書
【補正対象項目名】００８８
【補正方法】変更
【補正の内容】
【００８８】
図１０（ｄ）に示すように、レリーズリング１５を矢印の方向に撮影者が押し上げると、レリーズベース２２の規制面２２ｐがフロントインナー２０の規制面２０ｍに突き当り、これ以上レリーズリング１５を押し上げることはできない。なお、レリーズリング１５の押し上げストローク（図１０（ｂ）の状態から図１０（ｄ）の状態へレリーズリング１５の移動量）は、レリーズスイッチ２１ｄの検出ストロークよりも若干大きくしてある。レリーズリング１５が図１０（ｄ）の状態となるとき、反対側の押し子部２２ａは中立位置から上方向に移動するが、ズームリング１４に接触しないよう、ズームリング１４を一部切り欠いている。図１０（ｄ）の状態から撮影者がレリーズリング１５から指を離すと、コイルバネ３２により、レリーズリング１５は速やかに中立状態に復帰する。
【手続補正１４】
【補正対象書類名】明細書
【補正対象項目名】０１０３
【補正方法】変更
【補正の内容】
【０１０３】
図１３は、カメラの右側面図であり、レンズユニット３が沈胴しており、レリーズリング１５は中立位置の状態である。
【手続補正１５】
【補正対象書類名】明細書
【補正対象項目名】０１０４
【補正方法】変更
【補正の内容】
【０１０４】
図１３に図示するように、カメラ本体１とレリーズリング１５の外形に接する線（接線）を描いたときに、ズームリング１４の上面側操作部１４ａおよび底面側操作部１４ｂはこの接線よりも突出するように形成されている。撮影者はズームリング１４の上面側操作部１４ａおよび底面側操作部１４ｂを指の腹で回動操作するが、ズームリング１４の上面側操作部１４ａおよび底面側操作部１４ｂがこの接線よりも突出していないとズームリング１４を操作しにくくなる。ズームリング１４の上面側操作部１４ａおよび底面側操作部１４ｂを突出させすぎると、図のようにカメラを机の上に置いたときに底面側操作部１４ｂが机に接触し、ズームリング１４が不用意に動いてしまうという問題がある。また、ズームリング１４の上面側操作部１４ａおよび底面側操作部１４ｂを突出させすぎると、三脚にカメラ本体１を取り付けたときに三脚の取り付け面に底面側操作部１４ｂが触れて、ズームリング１４を回動させることができなくなる。このようなことを考慮して、本実施形態では、ズームリング１４の上面側操作部１４ａおよび底面側操作部１４ｂをカメラ本体１とレリーズリング１５を結ぶ接線より突出させる。また、ズームリング１４の上面側操作部１４ａおよび底面側操作部１４ｂがカメラ本体１の底面および上面の延長面から突出しないように構成している。
【手続補正１６】
【補正対象書類名】明細書
【補正対象項目名】０１０７
【補正方法】変更
【補正の内容】
【０１０７】
押し下げ状態のレリーズリング１５の外径は、ズームリング１４の外径よりも突出しないようにしている。したがって、レリーズリング１５を押し下げたとしても、レリーズリング１５の下端がズームリング１４から突出しない。もし、レリーズリング１５を押し下げた際に、レリーズリング１５の下端がズームリング１４から突出すると、ズームリング１４から突出した部分に指を掛けて、レリーズリング１５を引き剥がす力を加えることができる。また、レリーズリング１５を押し下げた際に、レリーズリング１５の下端がズームリング１４から突出すると、カメラ本体１を机の上に置いたときや三脚に取り付けた場合に、レリーズリング１５を十分に操作できなくなるおそれがある。このようなことを考慮して、本実施形態では、レリーズリング１５の移動範囲は、レリーズリング１５をスライド操作したとしても、レリーズリング１５の上端または下端がズームリング１４の外径から突出しないように設計している。
【手続補正１７】
【補正対象書類名】明細書
【補正対象項目名】０１０８
【補正方法】変更
【補正の内容】
【０１０８】
以上説明したように、本発明は、ズームリング１４とレリーズリング１５をレンズユニット３の周囲に配置したことで、複数のレリーズボタンを配置せずに、様々なカメラの把持方法においても、スムーズにズーム動作およびレリーズ動作を行うことができる。